【手続補正書】
【提出日】平成28年1月13日(2016.1.13)
【手続補正１】
【補正対象書類名】明細書
【補正対象項目名】０００６
【補正方法】変更
【補正の内容】
【０００６】
前記目的を達成するために本発明の原稿圧着板開閉装置は、装置本体へ取り付けられる底板とこの底板の両側より立設させた両側板を有する取付部材と、上板とこの上板の両側より垂設された両側板とこの両側板より内側に折り曲げて設けた抱持片とを有し、前記両側板を前記取付部材の両側板へ第１ヒンジピンを介して回動可能に連結して成る支持部材と、上板とこの上板の両側部から垂設させた両側板を有し、前記支持部材の両側板の自由端側に第２ヒンジピンを介して回動可能に取り付けられたところの前記原稿圧着板を取り付けるリフト部材と、前記取付部材の両側板間に設けられた受圧部材と、この受圧部材に当接して前記支持部材内部に前記抱持片に抱えられて摺動可能に収装された第２スライダーと、前記リフト部材の両側板が前記第２ヒンジピンを介して回動する側に取り付けられた作動部材と、この作動部材に当接して前記支持部材内に前記抱持片に抱えられて摺動可能に収納された第１スライダーと、前記第１スライダーと前記第２スライダーの間に前記支持部材内に収装されて弾設された圧縮コイルスプリングから成り、前記作動部材、前記第１スライダー、及び前記第２スライダーが外側に露出している部分の少なくとも一部と、前記圧縮コイルスプリングが外部へ露出している部分を覆うカバー部材を前記支持部材に固定して設けたことを特徴とする。
【手続補正２】
【補正対象書類名】明細書
【補正対象項目名】００１５
【補正方法】変更
【補正の内容】
【００１５】
【図１】本発明に係る原稿圧着板開閉装置を用いた事務機器の一種である複写機の原稿圧着板を開いた状態の斜視図である。
【図２】図１に示した複写機から原稿圧着板開閉装置のカバー部材を取り外した状態の斜視図である。
【図３】本発明に係る原稿圧着板開閉装置の１例を示す斜視図である。
【図４】図３に示した本発明に係る原稿圧着板開閉装置からカバー部材を外してみた斜視図である。
【図５】図３に示した原稿圧着板開閉装置の一部分解斜視図である。
【図６】本発明に係る原稿圧着板開閉装置の使用状態を示す側面図である。
【図７】図６に示した原稿圧着板開閉装置の側断面図である。
【図８】本発明の原稿圧着板開閉装置の使用状態を示す側面図である。
【図９】図８に示した原稿圧着板開閉装置の側断面図である。
【図１０】本発明に係る原稿圧着板開閉装置の使用状態を示す側断面図である。
【図１１】本発明に係る原稿圧着板開閉装置の平面図である。
【図１２】本発明に係る原稿圧着板開閉装置の使用状態を示す側面図である。
【図１３】図１２に示した原稿圧着板開閉装置の側断面図である。
【図１４】本発明に係る原稿圧着板開閉装置の支持部材の斜視図である。
【図１５】本発明に係る原稿圧着板開閉装置の第１スライダーを示し、（ａ）は上側から見た斜視図、（ｂ）は下側から見た平面図である。
【図１６】本発明に係る原稿圧着板開閉装置の第２スライダーを示し、（ａ）は下側から見た斜視図、（ｂ）は上側から見た平面図である。
【図１７】本発明に係る原稿圧着板開閉装置の他の実施例を示す斜視図である。
【図１８】図１７に示した本発明に係る原稿圧着板開閉装置の１部分解斜視図である。
【手続補正３】
【補正対象書類名】明細書
【補正対象項目名】００１９
【補正方法】変更
【補正の内容】
【００１９】
図３〜図１６は、図１と図２に示した原稿圧着板開閉装置３、３ａのうち、右側の原稿圧着板開閉装置３のものを示している。左側の原稿圧着板開閉装置３ａは、圧縮コイルスプリング１３ａ、１３ａを２個使用している点を除いては、その構成は寸法が異なるのみで右側の原稿圧着板開閉装置３とその構造が同じである。
【手続補正４】
【補正対象書類名】明細書
【補正対象項目名】００２２
【補正方法】変更
【補正の内容】
【００２２】
取付部材４の底板４ａは、略矩形状に形成され、取付釦部材４ｈと取付ネジ４ｊ等で装置本体１へ取り付けるための取付孔４ｆ、４ｇが設けられている。受圧部材１１は、実施例のものは取付部材４の両側板４ｂ、４ｂ間に非回転に取り付けられているが、両側板４ｂ、４ｂ間に回転可能に取り付けられてもよい。さらに、受圧部材１１はその形状についてとくに限定はないが、実施例のもののように断面円形状の軸体として、両側板４ｂ、４ｂ間に固定させ、その外周に回転可能に筒体を取り付けたものであってもよい。この受圧部材１１は、後述するように、第２スライダー１２のカム部１２ａと圧接しており、カム部１２ａと受圧部材１１の外周には図示は省略するが潤滑用のグリスが塗布されている。
【手続補正５】
【補正対象書類名】明細書
【補正対象項目名】００２４
【補正方法】変更
【補正の内容】
【００２４】
リフト部材８は、原稿圧着板２の後端側をビス等で取り付ける上板８ａと、この上板８ａの両端部から下方へ折り曲げて垂設させた両側板８ｂ、８ｂと、この両側板８ｂ、８ｂの下端部側から外側へ折り曲げて形成させた取付板８ｃ、８ｃから成る正面から見て略凸字状のものである。このリフト部材８は、支持部材６の両側板６ｂ、６ｂの外側に位置して、その先端側に第２ヒンジピン７を介してその両側板８ｂ、８ｂを支持部材６の両側板６ｂ、６ｂへ当該支持部材６の取付部材４に対する回動方向とは逆方向へ回動するように連結されている。
【手続補正６】
【補正対象書類名】明細書
【補正対象項目名】００２５
【補正方法】変更
【補正の内容】
【００２５】
リフト部材８の両側板８ｂ、８ｂにはさらに、第２ヒンジピン７を支点とする旋回位置に作動部材９が取り付けられており、この作動部材９は、後述する第１スライダー１０に圧接している。そして、作動部材９自身と第１スライダー１０のカム部１０ａには図示してないが潤滑用のグリスが塗布されている。この作動部材９は、実施例では丸いピン状のものであり、リフト部材８の両側板８ｂ、８ｂ間に固定されているが、その形状に限定されない。さらにまた、それ自身が回転可能にリフト部材８の両側板８ｂ、８ｂの間に取り付けられてもよく、上板８ａ、或は両側板８ｂ、８ｂから折り曲げて形成させてもよい。
【手続補正７】
【補正対象書類名】明細書
【補正対象項目名】００３１
【補正方法】変更
【補正の内容】
【００３１】
即ち、このカバー部材１４は、とくに図５に示したように、第２ヒンジピン７で支持部材６の両側板６ｂ、６ｂとリフト部材８の両側板８ｂ、８ｂを、それぞれ設けた挿通孔６ｅ、６ｅ・８ｄ、８ｄへ挿通させて連結させる際に、第２ヒンジピン７へ取り付けられるもので、取り付けられると、とくに図７、９、１０、１１などに示したように、取付片１４ｄ、１４ｄの縁部が支持部材６の上板６ａの裏側へ当接することになる。このことにより、カバー部材１４は、取付状態がグラグラすることなく安定した状態で、第２ヒンジピン７へ取り付けられている。
【手続補正８】
【補正対象書類名】明細書
【補正対象項目名】００３６
【補正方法】変更
【補正の内容】
【００３６】
図８〜図１３に示したように、原稿圧着板２の全開閉角度範囲において、カバー部材１４は、原稿圧着板開閉装置３の外部へ露出する、第２ヒンジピン７、作動部材９、第１スライダー１０．圧縮コイルスプリング１３、及び第２スライダー１２の一部などの各表面側を覆うので、コンタクトガラス１ａ上へ原稿を載置する際に当該原稿が、第２ヒンジピン７、作動部材９、第１スライダー１０．圧縮コイルスプリング１３、及び第２スライダー１２の一部などに当たって、グリスやオイルなどで汚されてしまう心配のないものである。また、原稿圧着板２の装置本体１への取り付け時や、装置本体１の修理、保守、点検時において装置本体１に対して原稿圧着板２の着脱を行う際には、原稿圧着板開閉装置３の部分を手で持って作業することがあるが、この際にも手にグリスやオイルが付着して汚してしまう虞のないものである。
【手続補正９】
【補正対象書類名】明細書
【補正対象項目名】００４２
【補正方法】変更
【補正の内容】
【００４２】
本発明は、原稿圧着板開閉装置を構成する、第１及び第２スライダーや作動部材、さらには受圧部材や圧縮コイルスプリングといった外部へ露出する部分を有し、グリスなどが付着している部分をカバー部材で覆うことができることから、コンタクトガラス上に載置させる原稿の端部が、グリスなどで汚れてしまうのを極めて有効に防止し、また、外観を損なうこれらの部材が外部へ露出することも防止することができることから、とくに複写機や複合機に代表される事務機器の原稿圧着板開閉装置に実施して好適である。
【手続補正１０】
【補正対象書類名】特許請求の範囲
【補正対象項目名】請求項１
【補正方法】変更
【補正の内容】
【請求項１】
事務機器の原稿圧着板を装置本体に対して開閉可能に支持するものであって、装置本体へ取り付けられる底板とこの底板の両側より立設させた両側板を有する取付部材と、上板とこの上板の両側より垂設された両側板とこの両側板より内側に折り曲げて設けた抱持片とを有し、前記両側板を前記取付部材の両側板へ第１ヒンジピンを介して回動可能に連結して成る支持部材と、上板とこの上板の両側部から垂設させた両側板を有し、前記支持部材の両側板の自由端側に第２ヒンジピンを介して回動可能に取り付けられたところの前記原稿圧着板を取り付けるリフト部材と、前記取付部材の両側板間に設けられた受圧部材と、この受圧部材に当接して前記支持部材内部に前記抱持片に抱えられて摺動可能に収装された第２スライダーと、前記リフト部材の両側板が前記第２ヒンジピンを介して回動する側に取り付けられた作動部材と、この作動部材に当接して前記支持部材内に前記抱持片に抱えられて摺動可能に収納された第１スライダーと、前記第１スライダーと前記第２スライダーの間に前記支持部材内に収装されて弾設された圧縮コイルスプリングとから成り、前記作動部材、前記第１スライダー、及び前記第２スライダーが外側に露出している部分の少なくとも一部と、前記圧縮コイルスプリングが外部へ露出している部分を覆うカバー部材を前記支持部材に固定して設けたことを特徴とする、原稿圧着板開閉装置。
【手続補正１１】
【補正対象書類名】図面
【補正対象項目名】図１０
【補正方法】変更
【補正の内容】
【図１０】
2014137543.tif 000001
【手続補正１２】
【補正対象書類名】図面
【補正対象項目名】図１７
【補正方法】変更
【補正の内容】
【図１７】
2014137543.tif 000002
【手続補正１３】
【補正対象書類名】図面
【補正対象項目名】図１８
【補正方法】変更
【補正の内容】
【図１８】
2014137543.tif 000003